(57)【要約】      （修正有）【課題】簡便に水質検査を行うことができ、また、複数の水質の検査をほぼ同時に行うこともできる水質検査を提供する。【解決手段】水質検査方法は、液状検体を検査する水質検査方法であって、前記液状検体を、液滴吐出ヘッドを有する液滴吐出装置１に投入する検体投入工程と、前記液滴吐出ヘッドから、前記液状検体の液滴を検査用紙に吐出する吐出工程と、前記検査用紙の色により、前記液状検体の水質を検査する検査工程と、を有する。前記検査工程において、前記検査用紙の画像を、スキャナ４００に取り込み、画像処理することにより前記液状検体の水質を特定する。【選択図】図３
2013167604.tif 000002
【特許請求の範囲】
【請求項１】
液状検体を検査する水質検査方法であって、
前記液状検体を、液滴吐出ヘッドを有する液滴吐出装置に投入する検体投入工程と、
前記液滴吐出ヘッドから、前記液状検体の液滴を検査用紙に吐出する吐出工程と、
前記検査用紙の色により、前記液状検体の水質を検査する検査工程と、を有することを特徴とする水質検査方法。
【請求項２】
前記検査工程において、前記検査用紙の画像を、スキャナに取り込み、画像処理することにより前記液状検体の水質を特定する請求項１に記載の水質検査方法。
【請求項３】
前記検査用紙は、前記液状検体の液滴の放射線量に応じて蛍光を発するシンチレーション測定部を備える請求項１または２に記載の水質検査方法。
【請求項４】
前記検査用紙は、液状検体のｐＨを判定するｐＨ測定部を有する請求項１ないし３のいずれか１項に記載の水質検査方法。
【請求項５】
前記検査用紙は、液状検体の残留塩素を判定する残留塩素測定部を有する請求項１ないし４のいずれか１項に記載の水質検査方法。
【請求項６】
前記検査用紙は、液状検体の全硬度を判定する全硬度測定部を有する請求項１ないし５のいずれか１項に記載の水質検査方法。
【請求項７】
前記検査用紙は、互いに異なる性質を測定する複数の測定部を有する請求項１ないし６のいずれか１項に記載の水質検査方法。
【請求項８】
請求項１ないし７のいずれか１項に記載の検査方法を備えたことを特徴とする水質検査装置。
【発明の詳細な説明】
【技術分野】
【０００１】
本発明は、水質検査方法および水質検査装置に関する。
【背景技術】
【０００２】
従来より、採取した水（試料）の水質を検査する方法として、試料中において試薬と反応させて、色や沈殿等の変化により行う方法が知られている（例えば、特許文献１参照）。
しかしながら、従来の検査方法では、大がかりな装置が必要な上、複数の水質の検査を同時に行うことは容易ではなく、また、検査を簡便に行うことが困難であった。
【先行技術文献】
【特許文献】
【０００３】
【特許文献１】特開平０５−２７３１９５号公報
【発明の概要】
【発明が解決しようとする課題】
【０００４】
本発明の目的は、簡便に水質検査を行うことができ、また、複数の水質の検査を同時に行うこともできる水質検査方法および水質検査装置を提供することにある。
【課題を解決するための手段】
【０００５】
このような目的は、下記の本発明により達成される。
本発明の水質検査方法は、液状検体を検査する水質検査方法であって、
前記液状検体を、液滴吐出ヘッドを有する液滴吐出装置に投入する検体投入工程と、
前記液滴吐出ヘッドから、前記液状検体の液滴を検査用紙に吐出する吐出工程と、
前記検査用紙の色により、前記液状検体の水質を検査する検査工程と、を有することを特徴とする。
これにより、簡便に水質検査を行うことができ、また、複数の水質の検査をほぼ同時に行うこともできる水質検査を提供することができる。
【０００６】
本発明の水質検査方法では、前記検査工程において、前記検査用紙の画像を、スキャナに取り込み、画像処理することにより前記液状検体の水質を特定することが好ましい。
これにより、より正確な水質検査を行うことができる。
本発明の水質検査方法では、前記検査用紙は、前記液状検体の液滴の放射線量に応じて蛍光を発するシンチレーション測定部を備えることが好ましい。
これにより、液状検体中における放射性物質の放射線量をより簡便に測定することができる。
【０００７】
本発明の水質検査方法では、前記検査用紙は、液状検体のｐＨを判定するｐＨ測定部を有することが好ましい。
これにより、液状検体のｐＨをより容易に検査することができる。
本発明の水質検査方法では、前記検査用紙は、液状検体の残留塩素を判定する残留塩素測定部を有することが好ましい。
これにより、液状検体の残存塩素の量をより容易に測定することができる。
【０００８】
本発明の水質検査方法では、前記検査用紙は、液状検体の全硬度を判定する全硬度測定部を有することが好ましい。
これにより、液状検体の全硬度をより容易に測定することができる。
本発明の水質検査方法では、前記検査用紙は、互いに異なる性質を測定する複数の測定部を有することが好ましい。
これにより、複数の検査をほぼ同時に行うことができ、より簡便に水質検査を行うことが可能となる。
本発明の水質検査装置は、本発明の検査方法を備えたことを特徴とする。
これにより、簡便に水質検査を行うことができ、また、複数の水質の検査をほぼ同時に行うこともできる水質検査装置を提供することができる。
【図面の簡単な説明】
【０００９】
【図１】液滴吐出装置の概略構成を示す斜視図である。
【図２】検査用紙Ｐの一例を示す平面図である。
【図３】水質検査装置の概略構成を示す斜視図である。
【発明を実施するための形態】
【００１０】
以下、本発明の好適な実施形態について詳細に説明する。
《水質検査方法》
本発明の水質検査方法は、海や池等から採取してきた液状検体の水質を検査する方法である。
以下、好適な実施形態について説明する。
【００１１】
図１は、液滴吐出装置の概略構成を示す斜視図、図２は、検査用紙Ｐの一例を示す平面図である。
本実施形態に係る水質検査方法は、液状検体を、後述する液滴吐出ヘッド９を有する液滴吐出装置１に投入する検体投入工程と、液滴吐出ヘッド９から液状検体の液滴を検査用紙Ｐに吐出する吐出工程と、検査用紙Ｐの画像をスキャナに取り込み、検査用紙Ｐの色を画像処理により検知して前記液状検体の水質を検査する検査工程とを有している。
【００１２】
ところで、従来の水質検査方法は、試料中において試薬と反応させて、色や沈殿等の変化により行うものであるが、このような検査方法では、大がかりな装置が必要な上、複数の水質の検査を同時に行うことは容易ではなく、また、検査を簡便に行うことが困難であった。
これに対して、本発明によれば、液滴吐出装置から液状検体を検査用紙に吐出し、検査用紙の色変を見ることで検査ができるため、簡便に検査を行うことができる。また、液滴吐出装置に複数の液状検体を投入すれば、複数の検体の水質検査も容易に行うことができる。また、検査において大がかりな装置も必要とせず、より簡便に水質検査を行うことができる。
【００１３】
以下、各工程について詳細に説明する。
＜検体投入工程＞
本工程では、海や池等から採取してきた液状検体を液滴吐出装置１に投入する。
液滴吐出装置１としては、例えば、図１に示すようなものを用いる。
図１に示すように、液滴吐出装置１は、フレーム２を有している。フレーム２には、プラテン３が設けられ、プラテン３上には、検査用紙送りモーター４の駆動により検査用紙Ｐが給送されるようになっている。また、フレーム２には、プラテン３の長手方向と平行に、棒状のガイド部材５が設けられている。
【００１４】
ガイド部材５には、キャリッジ６がガイド部材５の軸線方向に往復移動可能に支持されている。キャリッジ６は、フレーム２内に設けられたタイミングベルト７を介して、キャリッジモーター８に連結されている。そして、キャリッジ６は、キャリッジモーター８の駆動により、ガイド部材５に沿って往復移動されるようになっている。
キャリッジ６には、ヘッド（液滴吐出ヘッド）９が設けられるとともに、ヘッド９に液状検体を供給するためのカートリッジ１０が着脱可能に配置されている。
【００１５】
液状検体は、このカートリッジ１０内に投入される。カートリッジ１０内は、複数の液状検体を投入する部屋が設けられている。これにより、複数の検体の水質検査も容易に行うことができる。
カートリッジ１０内の液状検体は、ヘッド９に備えられた図示しない圧電素子の駆動により、カートリッジ１０からヘッド９へと供給され、ヘッド９のノズル形成面に形成された複数のノズルから、プラテン３上に給送された検査用紙Ｐに対して吐出されるようになっている。
吐出方法としては、サーマルジェット（バブルジェット）方式でもよい。また、従来公知の方法はいずれも使用できる。
【００１６】
＜吐出工程＞
次に、ヘッド９から液状検体の液滴を検査用紙Ｐに吐出する。
本実施形態では、図２に示すような検査用紙Ｐに液状検体を吐出する。
図２に示すように、検査用紙Ｐは、シンチレーション測定部２１と、酸性ｐＨ測定部２２と、中性ｐＨ測定部２３と、アルカリ性ｐＨ測定部２４と、残留塩素測定部２５と、全硬度測定部２６とを有している。このように互いに異なる性質を測定する複数の測定部を備えることにより、複数の検査をほぼ同時に行うことができ、より簡便に水質検査を行うことが可能となる。
【００１７】
シンチレーション測定部は、液状検体の液滴の放射線量に応じて蛍光を発する物質が付与されている。液状検体に放射性物質が含まれている場合には、蛍光を発するよう構成されている。このような測定部を有することにより、液状検体中における放射性物質の放射線量をより簡便に測定することができる。
液状検体の液滴の放射線量に応じて蛍光を発する物質としては、例えば、ヨウ化ナトリウム、アントラセン、アントラセン誘導体、ジフェニルオキサゾール、ジフェニルオキサゾール誘導体、ｐ−ターフェニル、ポリエチレンナフタレート等、または、それらを含有する天然樹脂、合成樹脂を利用する方法等が挙げられる。
【００１８】
酸性ｐＨ測定部２２、中性ｐＨ測定部２３、アルカリ性ｐＨ測定部２４は、それぞれ、液状検体のｐＨを色により測定する測定部である。このような測定部を有することにより、液状検体のｐＨをより容易に検査することができる。
酸性ｐＨ測定部２２を構成する材料としては、特に限定されず、例えば、酸性域の指示薬であるメチルバイオレット、マラカイトグリーン、ピクリン酸、チモールブルー、メチルイエロー、ブロモフェノールブルー、コンゴーレッド、クレゾールレッド、２，４−ジニトロフェノール、メチルパープル、クロロフェノールレッド、メチルオレンジ、ブロモクレゾールグリーン、メチルレッド、ブロモクレゾールパープル等が挙げられる。
【００１９】
また、中性ｐＨ測定部２３を構成する材料としては、例えば、中性域の指示薬であるリトマス、ｐ−ニトロフェノール、ブロモチモールブルー、フェノールレッド、ニュートラルレッド等が挙げられる。
また、アルカリ性ｐＨ測定部２４を構成する材料としては、例えば、アルカリ性域の指示薬であるナフタノールフタレイン、クレゾールレッド、フェノールフタレイン、チモールフタレイン、アリザリンイエローＲ、１，３，５−トリニトロベンゼン等が挙げられる。
【００２０】
また、これら材料を任意に混合して、従来のｐＨ試験紙のように酸性域からアルカリ性域まで一種類の測定部で簡易に判断することも可能であり、更には、複数種類の測定部を酸性、中性、アルカリ性域にそれぞれ設け、より詳細なｐＨを測定することも可能である。
残留塩素測定部２５は、液状検体の残留塩素を色により測定する測定部である。このような測定部を有することにより、液状検体の残存塩素の量をより容易に測定することができる。
【００２１】
残留塩素測定部２５を構成する材料としては、特に限定されず、例えば、残留塩素測定試薬であるＮ，Ｎ−ジエチルパラフェニレンジアミンやＳＢＴ法を用いる試薬等が挙げられる。
全硬度測定部２６は、液状検体の全硬度を測定する測定部である。このような測定部を有することにより、液状検体の全硬度をより容易に測定することができる。
【００２２】
全硬度測定部２６を構成する材料としては、特に限定されず、特に限定されず、例えば、全硬度を測定する方法であるＥＤＴＡ法で用いる試薬等が挙げられる。
また、検査用紙Ｐは、複数の液状検体を吐出する予定領域が設定されており、本実施形態では、図２に示すように、第１検体吐出領域３１と、第２検体吐出領域３２とが設けられている。
これら各領域は、図２に示すように、上記各測定部を跨るように設定されている。
【００２３】
＜検査工程＞
次に、検査用紙Ｐの画像をスキャナに取り込み、検査用紙Ｐの色を画像処理により検知して液状検体の水質を特定する。このように、スキャナを用いて画像を読み取ることにより、目視による観察よりも、より正確な水質検査を行うことができる。
なお、スキャナは、シンチレーション測定部の蛍光発色を測定することが可能な構成となっている。
以上説明したような水質検査方法によれば、特別な装置を用意しなくても、容易にかつ簡便に水質検査を行うことができる。また、カートリッジ１０に複数の液状検体を投入すれば、複数の液状検体の水質検査をほぼ同時に行うことができる。
【００２４】
《水質検査装置》
次に、本発明の水質検査方法に適用される水質検査装置について説明する。
図３は、本実施形態に係る水質検査装置の概略構成を示す斜視図である。
図１に示すように、記録装置１００は、スキャナ４００と、パーソナルコンピュータ７００と、上述した液滴吐出装置１とを有している。
【００２５】
スキャナ４００は、検査用紙Ｐの表面の画像を取り込む手段（画像取り込み手段）として機能する装置である。また、スキャナ４００は、シンチレーション測定部２１の蛍光発色を測定可能となっている。
スキャナ４００で取り込まれた画像は、パーソナルコンピュータ７００に送られる。
パーソナルコンピュータ７００は、図１に示すように、本体７２０と、モニタ７０４と、操作部７０８（キーボード７０８Ａ、マウス７０８Ｂ）とで構成されている。
【００２６】
パーソナルコンピュータ７００は、送られてきた画像を画像処理することにより、検査用紙Ｐの各測定部の色を判断する。そして、当該色によって、水質を特定し、その検査結果をモニタ７０４に表示する。
以上、本発明について、好適な実施形態に基づいて説明したが、本発明はこれらに限定されるものではない。
例えば、本発明の水質検査方法に適用される水質検査装置は、上述したような構成のものに限定されない。
【符号の説明】
【００２７】
１…液滴吐出装置  ２…フレーム  ３…プラテン  ４…検査用紙送りモーター  ５…ガイド部材  ６…キャリッジ  ７…タイミングベルト  ８…キャリッジモーター  ９…（液滴吐出）ヘッド  １０…カートリッジ  Ｐ…検査用紙  １００…記録装置  ４００…スキャナ  ７００…パーソナルコンピュータ  ７０４…モニタ  ７２０…本体  ７０８…操作部  ７０８Ａ…キーボード  ７０８Ｂ…マウス  ２１…シンチレーション測定部  ２２…酸性ｐＨ測定部  ２３…中性ｐＨ測定部  ２４…アルカリ性ｐＨ測定部  ２５…残留塩素測定部  ２６…全硬度測定部  ３１…第１検体吐出領域  ３２…第２検体吐出領域
【図１】
2013167604.tif 000003
【図２】
2013167604.tif 000004
【図３】
2013167604.tif 000005